(57)【要約】本発明は、ゲッタ（５８）を、ＣＲＴ（１０）の主軸に沿って固定且つ配置するためのゲッタ配置及び取付け組立体（５４）に係る。ゲッタ配置及び取付け組立体は、ＣＲＴのマスクフレーム組立体（２４）のフレーム（２８）に取付けられる内部磁気シールド（３８）に、ゲッタを着脱可能に固定するゲッタバネ（５６）を含む。内部磁気シールドは、ＣＲＴ内にゲッタフィルムの最適な蒸着を可能にするようＣＲＴの主軸に沿って形成される複数のアパーチャ（５０）を有する側壁（４２）を有する。
2004516609.tif 000002
【特許請求の範囲】
【請求項１】
副軸及び主軸を有し、陰極線管の内面にある発光スクリーン（２２）を有するフェースプレートパネル（１８）に、一端がシールされるファンネル（１６）を有する排気されたエンベロープ（１２）と、
上記フェースプレートパネルに隣接して上記エンベロープ内に配置されるシャドウマスク組立体（２４）と、
上記ファンネルの少なくとも一部に沿って延在する側壁（４２）を有する内部磁気シールド（３８）と、を含み、
上記内部磁気シールドは更に、上記側壁を通り延在し、上記主軸に対し開いている少なくとも１つのアパーチャ（５０）と、開いた前端面（４４）と、開いた後端面（４６）を有し、
上記開いた前端面は、上記シャドウマスク組立体に固定される陰極線管（１０）であって、
上記内部磁気シールドに取付けられ、上記アパーチャを通り上記主軸に向かって気化したゲッタ物質のフィルムを蒸着するよう上記主軸に方向付けられる少なくとも１つのゲッタ取付け組立体（５４）を含む陰極線管。
【請求項２】
上記ゲッタ取付け組立体は、近位端と遠位端を有し、
上記遠位端は、ゲッタ（５８）を含み、
上記近位端は、上記ゲッタ取付け組立体を上記内部磁気シールドに固定するカップリングクリップ（６２）を有する請求項１記載の陰極線管。
【請求項３】
上記カップリングクリップは更に、上記遠位端から離れるよう延在し、上記後端面における上記側壁のエッジに接触する突出したコーナ部を与えるよう形成される握り部（６８）を含む請求項２記載の陰極線管。
【請求項４】
ゲッタ物質の堆積物を、陰極線管（１０）のエンベロープ（１２）内に方向付けるゲッタ取付け組立体（５４）であって、
主軸を有する上記陰極線管は、
上記陰極線管の内面にある発光スクリーン（２２）を有するフェースプレートパネル（１８）に、一端が、シールされるファンネル（１６）と、
上記エンベロープ内において、上記発光スクリーンに近接して配置される車道マスク組立体（２４）と、
上記シャドウマスク組立体に固定される内部磁気シールド（３８）と、を含み、
上記内部磁気シールドは、上記ファネルの少なくとも一部に沿って延在し、上記ファネルの一部から間隔が置かれる側壁を有し、
上記側壁は、上記主軸に対し開いている少なくとも１つのアパーチャ（５０）を有し、
上記ゲッタ取付け組立体は、
上記エンベロープ内に配置され、近位端及び遠位端を有する少なくとも１つの細長いバネ（５６）と、
上記エンベロープ内において、上記遠位端から、上記アパーチャを通り上記主軸に向かって、気化したゲッタ物質のフィルムを蒸着するよう、上記遠位端に固定されるゲッタ（５８）と、を含むゲッタ取付け組立体。
【請求項５】
上記側壁は、開いた後端面（４６）及び開いた前端面（４４）を形成し、
上記開いた後端面は、上記少なくとも１つの細長いバネの上記近位端を受容する少なくとも１つの開口（５２）を含むレッジ（４８）により画成される請求項４記載のゲッタ取付け組立体。
【請求項６】
上記近位端は、上記内部磁気シールドに着脱可能に取付けられるよう構成されるカップリングクリップ（６２）を含む請求項５記載のゲッタ取付け組立体。
【請求項７】
上記内部磁気シールドは更に、上記レッジのエッジに形成され、上記少なくとも１つの開口と一直線にされる少なくとも１つのスロットを含む請求項５記載のゲッタ取付け組立体。
【請求項８】
上記カップリングクリップは、上記遠位端から離れるよう延在し、上記スロットと接触する突出したコーナ部を与えるよう形成される握り部（６８）を含む請求項７記載のゲッタ取付け組立体。
【発明の詳細な説明】
【０００１】
本発明は、陰極線管内のゲッタの位置決めに係る。より具体的には、本発明は、陰極線管（ＣＲＴ）の主軸に沿ってゲッタを固定し、且つ、位置決めするためのゲッタ配置及び取付け組立体に係る。
【０００２】
［発明の背景］
ＣＲＴの製造時に、最終的な真空は、主に、バリウム化合物物質であるゲッタを用いて得られる。バリウムは、陰極線管が排気されて密閉された後、ゲッタに隣接するＣＲＴファンネルの外壁の付近にＲＦコイルを配置することにより、急速にフラッシュ又は気化される。活性化されたＲＦコイルからのＲＦエネルギーが、ゲッタ物質を気化する。気化したゲッタ物質は、受像管内の残留気体分子を吸収して反応し、それらを低蒸気圧の固体の凝縮物として除去し、そして、ＣＲＴの耐用年数に亘って更に遊離した気体を吸収し続ける。
【０００３】
電子銃に接続したＣＲＴのネック及びヨーク部の内面に、ゲッタを位置付けることが一般的である。ゲッタ物質を含むゲッタホルダは、電子銃から陰極線管のビューイングスクリーンに方向付けられる電子ストリーム路の外側でなくてはならず、また、ＣＲＴのネック及びヨーク部におけるファンネルの横断面の直径は比較的小さいので、陰極線管エンベロープの前方部において、シャドウマスクフレーム、又は、内部磁気シールド（ＩＭＳ）の外面といったスクリーンに関連する構造体上に、ゲッタを設置することが知られている。更に、陰極線管のネック及びヨーク領域におけるゲッタの位置は、高性能陰極線管に必要とされる高走査速度で動作する陰極線管には、不利である。従って、ネック及びヨーク領域からゲッタ源を取り除き、同時に、良好なゲッタポンプ特性を維持することが望まれる。
【０００４】
ＩＭＳの外面に、ゲッタが取付けられる場合、ＩＭＳは、フラッシュされたゲッタ物質が、ＣＲＴ内の残留気体分子に近接することができるよう、無孔の構造体を含む任意の数の構成を有し得る。しかし、ＩＭＳの外面上のゲッタの位置は、ＩＭＳの背面にゲッタフラッシュ堆積物をもたらし、それにより、ゲッタ物質の堆積物が、陰極線管内の気体分子と反応することが制限される。陰極線管の前方部にゲッタを取付ける場合、例えば、シャドウマスクフレームに取付ける場合も、ゲッタが、陰極線管のビューイングスクリーンに近接していることから、ゲッタフラッシュ分布を少なくしてしまう。その結果、局所的に気体圧力の上昇が発生し、陰極線管内において、電子ビームと気体分子が衝突することにより、プラスに帯電したイオンが発生する。このプラスに帯電したイオンは、電子銃の陰極に向かって加速され、イオンは、陰極コーティングに衝突して減損し、その結果、陰極放射が減少する。
【０００５】
ゲッタフラッシュ分布に関連付けられる問題は、大規模ＣＲＴにおいて更に悪化する。ＣＲＴの寸法が大きくなるに従い、比較的大量の残留気体分子と反応させるための活性バリウム物質が必要となる。更に、ＣＲＴのアスペクト比が上がるに従い、ＣＲＴの主軸又は水平軸が長くなり、それにより、ＣＲＴの主軸に沿ってのフラッシュされたゲッタの分布距離が増加する。バリウム物質の量が増加すると、大きい又は多数のゲッタホルダによって、それらをＣＲＴ内に配置しなくてはならなくなるが、この構成では、上述したように、ＣＲＴの望ましくない領域上のゲッタフラッシュ堆積物が増加してしまう。即ち、ゲッタフラッシュは、ＩＭＳの背面に蒸着する傾向がある。一方で、ゲッタの数を少なくし、陰極線管のＩＭＳ及びネック領域を実質的に避けたゲッタフラッシュ分布を達成するようゲッタホルダを配置することも、ゲッタのパフォーマンスを下げてしまう。というのは、フラッシュされたゲッタ物質が、ＣＲＴ内の残留気体分子を吸収することによってＣＲＴ内に十分に低い圧力を維持しないからである。ＣＲＴエンベロープ内に真空圧力が無いことは、ＣＲＴの適切な耐用年数には必要不可欠である。
【０００６】
従って、ＣＲＴ内に最適なゲッタフラッシュ分布を供給し、それにより、フラッシュされたゲッタ物質が、ＣＲＴの望ましくない領域に蒸着することなく、ＣＲＴ内の残留気体分子と反応することを可能にするゲッタ配置及び取付け組立体があることが望まれる。
【０００７】
［発明の概要］
本発明は、ＣＲＴの主軸に沿って、ゲッタを固定且つ配置するゲッタ配置及び取付け組立体に係る。本発明は、ＣＲＴ内で最適なゲッタフラッシュ分布を提供し、特に、比較的大きいゲッタフラッシュ分布領域が望まれる大規模及び大きいアスペクト比を有するＣＲＴにおいて利用される。
【０００８】
以下の好適な実施例の説明において、詳細に説明するように、ゲッタ配置及び取付け組立体は、ＣＲＴの色選択電極のフレーム、又は、マスクフレームに取付けられる内部磁気シールドに、ゲッタを着脱可能に固定するゲッタバネを含む。内部磁気シールドは、ＣＲＴの主軸に沿って通される複数のアパーチャを有し、ＣＲＴ内において、ゲッタフィルムの最適な蒸着を可能にする側壁エンクロージャを有する。
【０００９】
［好適な実施例の詳細な説明］
本発明を、添付図面を参照しながら、詳細に説明する。
【００１０】
図１は、例えば、受像管又はモニター管といったような従来のカラーＣＲＴ１０を示す。このＣＲＴ１０は、円筒ネック部１４と、ファンネル１６の小さい端面から延在するヨーク領域１５を含む排気されたガラスエンベロープ１２を有する。ファンネル１６の大きい端面は、フリットシールライン２０において一体となるよう接続されるフェースプレートパネル１８により閉じられる。蛍光体スクリーン２２が、フェースプレートパネル１８の内面に配置される。蛍光体スクリーン２２は、蛍光体のカラムから形成され、各カラムは、３つの電子ビームが衝突すると、光の３原色のうち１つを放射する。エンベロープ１２は、フェースプレートパネル１８、ファンネル１６、及び、ネック部１４を通過する中央長手方向の陰極線管軸Ｚ−Ｚを有する。陰極線管は、長手軸Ｚ−Ｚに対し垂直な面を有し、２つの直交軸を含む。即ち、その垂直面の広い方の寸法に平行（通常は、水平）の主軸Ｘ−Ｘと、垂直面の狭い方の寸法に平行（通常は、垂直）の主軸Ｙ−Ｙを含む。
【００１１】
アパーチャ色選択電極又はシャドウマスク２６を含むマスク−フレーム組立体２４は、周辺フレーム２８に取付けられる。マスク−フレーム組立体２４は、フェースプレートパネル１８内に着脱可能に取付けられ、且つ、バネ３０によって、蛍光体スクリーン２２に対し所定の間隔を有して、中心の長手軸Ｚ−Ｚに対し略垂直に取付けられる。シャドウマスク２６は、蛍光体スクリーン２２から間隔が置かれ、３つの電子ビームを蛍光体に方向付けるよう用いられ、蛍光体は、適切な色の光線を放射する。図１に概略的に示す、電子銃取付け組立体３２は、ネック部１４内に配置され、蛍光体スクリーン２２の蛍光体を走査するために用いられる電子ビームを供給する。ネック部１４の遠位端は、端子ピン又は端子リード３６を有するステム３４により閉じられる。電子銃取付け組立体３２は、ステム３４上に支持され、ステム３４を介して、電子銃取付け組立体３２内の様々な素子に、電気接続が形成される。
【００１２】
電子は、帯電された粒子であるので、電子ビームは、地球の磁場の影響による偏向の作用を受ける。内部磁気シールド（ＩＭＳ）３８を用いることにより、地球の磁場による影響を最小限にすることができる。ＩＭＳ３８は、冷間圧延されたスチールといった強磁性体材料から形成され、電子ビームの周りの地球の磁力線を曲げ、又は、リダイレクトして、電子ビームが、シールド内のアパーチャを通過する際に、電子ビームへの影響を最小限にする。これは重要な特徴であり、というのは、地球の磁場により引き起こされる電子ビームの偏向は、特定の電子ビームを、間違った色を放射する蛍光体に衝突させ、それにより、位置ずれが生じ、それにより、画像表示の品質が低下してしまう。更に、陰極線管を含むテレビ受像機が１つの場所から別の場所に動かされると、地球の磁場に対する陰極線管の主軸の位置が変化し、それにより、更に電子ビームの位置がずれて、画像表示がかなり低下してしまう可能性がある。
【００１３】
図１及び図２に示すように、ＩＭＳ３８は、ファンネル１６の内側に有り、Ｌ字型のフランジ４０を、溶接又はピンニングすることによって、周辺フレーム２８に取付けることにより、マスクフレーム組立体２４の後部にしっかりと取付けられる。本発明のＩＭＳ３８は、略角錐台形を形成する複数の略平らな側壁４２を含み、フェースプレートパネル１８の付近に配置される開いた前端面４４と、フェースプレートパネル１８から離れて配置され、電子銃取付け組立体３２に面する開いた後端面４６を有する。開いた後端面４６は、シールド内への電子ビームの進入を可能にし、側壁４２から軸Ｚ−Ｚに向かって内側に延在するレッジ４８により画成される。レッジ４８には、以下に詳細に説明するが、気化可能又はフラッシュ可能なゲッタ５８を有するゲッタ取付け組立体５４を受容するための開口５２が形成される。図２を参照するに、軸Ｚ−Ｚの方向において後部から見た本発明の平面図を示す。この平面図は、ＩＭＳ３８の側壁４２に形成される複数のアパーチャ５０を示す。簡潔にするために、ファンネル１６及び電子銃取付け組立体は示さない。アパーチャ５０の場所及び寸法は、レッジ４８の外周から、周辺フレーム２８に向かって左右対称に延在し、主軸Ｘ−Ｘに沿って中心が合わされ、アパーチャ５０の幅は、開いた後部端面に面する辺の方が広いものとして示す。アパーチャ５０は、ゲッタ５８からのガス吸収物質のフィルム又は堆積物、即ち、フラッシュされたゲッタ物質が、ＩＭＳ３８の側壁４２を通過し、ＣＲＴ１０の内面に入ることを可能にする。アパーチャ５０の寸法は、フラッシュされたゲッタ物質の堆積物がＣＲＴ１０内の気体分子と反応することを制限してしまわないよう、ＩＭＳ３８の背面にフラッシュゲッタ物質が蒸着しないよう十分に大きい。三角形のアパーチャ５１は、ＩＭＳが取付けられる特定の陰極線管に対しそのＩＭＳの磁場整形特性を合わせるために用いられる。
【００１４】
図３を特に参照するに、図２に示すＩＭＳ３８の一部の、線３−３について取られた拡大断面図を示す。この拡大断面図は、ゲッタ取付け組立体５４の側面図を示す。ゲッタ取付け組立体５４は、近位端がＩＭＳ３８に取付けられ、ゲッタ５８からのフラッシュゲッタ物質が、アパーチャ５０を通し蒸着することを保証するようカンチレバー式に延在する細長いバネ５６を含む。ゲッタは、バネ５６の遠位端に取付けられるリング状の金属カップ６０を含む。金属カップ６０は、ファンネル１６の内壁に面して閉じられた基部を有する、ガス吸収物質を含むＵ字型チャンネルを有する。バネ５６の近位端には、カップリングクリップ６２といった弾性締め付け部材がある。カップリングクリップ６２には、ＩＭＳ３８のレッジ４８に設けられる開口５２に挿入される略Ｖ字型の部分６４を有する。カップリングクリップ６２は、レッジ４８の裏面に接触するショルダ６６と、レッジ４８に形成されるノッチ７０のエッジに接触するための突出したコーナ部を供給するよう形成される握り部６８を有する。バネ５６は、ＩＭＳ３８上にゲッタ取付け組立体５４を位置付ける際に、側壁４２に対し位置付け圧力を供給するよう形成されるアーチ状の湾曲部と、角度がついた湾曲部７２を有する。カップリングクリップ６２は、Ｖ字型部６４の弾性力だけでなく、バネ５６の握り部６８及び角度がついた湾曲部７２の弾性力によりカップリング力を供給し、それにより、カップリングクリップ６２を、開口５２内に保持する。
【００１５】
図４に、ゲッタ取付け組立体５４´の第２の例示的な実施例を示す。この実施例は、カップリングクリップ６２が、レッジ４８の裏面から開口５２内に挿入される点で、図３に示す実施例と異なる。この実施例では、ショルダ６６が、レッジの上面に接触し、バネ５６は、側壁４２の裏面に沿って延在し、アパーチャ５０を通る。バネ５６のアーチ状の湾曲部は、ゲッタ５８を、側壁４２の上面より上方に延在させる。図示するように、バネ５６は、アパーチャ５０と開口５２の間に取付けられるよう寸法が合わされ、バネによる付勢力は、カップリングクリップ６２を、ＩＭＳ３８の開口５２内にしっかりと固定させる。ゲッタ取付け組立体５４を、ＩＭＳ３８のレッジ４８に固定することにより、ゲッタ５８を、ヨーク磁場外に位置付け、且つ、ネック部１４を取外した後にＣＲＴ１０内に手を届かせることを可能にし、必要に応じてゲッタ取付け組立体５４の取外し及び交換を可能にする。フラッシュされるべきゲッタ物質が、アパーチャ５０を通り、排気されたエンベロープ内の好適な低圧力を維持するための要件を満足することを可能にするよう、ゲッタ５８を正確に位置付けるための、ゲッタ取付け組立体のマスクフレームへの取付けは、本発明の範囲内である。
【００１６】
本発明では、開口５２及びノッチ７０は、ゲッタ取付け組立体５４を主軸Ｘ−Ｘに沿って一直線にすること、又は、ゲッタ取付け組立体５４をＣＲＴ１０の広い方の寸法（通常は、水平方向）と平行に一直線にすることを可能にするよう形成される。図３及び図４に示す実施例において説明するカップリング力は、主軸Ｘ−Ｘに沿ってのゲッタ５８の安定化を供給する。ＣＲＴ１０の長手寸法が増加するに従い、例えば、１６：９のアスペクト比を有するＣＲＴの場合、主軸Ｘ−Ｘに沿ってのゲッタ５８の配置は、フラッシュされたゲッタ物質が、増加した長手方向の距離に到達し、ＣＲＴ１０の増加した領域内の残留気体分子と反応することを可能にする。
【図面の簡単な説明】
【図１】
ＣＲＴにおける本発明を示す断面図である。
【図２】
ＩＭＳに固定されるゲッタ取付け組立体を示すＩＭＳ及びフェースプレートパネルの平面図である。
【図３】
ＩＭＳの内側に取付けられるゲッタ取付け組立体の、図２の線３−３についての部分的に切断された拡大側面図である。
【図４】
ＩＭＳの外側に取付けられるゲッタ取付け手段の第２の実施例を含む部分的に切断された拡大側面図である。
【国際公開パンフレット】
2004516609.tif 000003
2004516609.tif 000004
2004516609.tif 000005
2004516609.tif 000006
2004516609.tif 000007
2004516609.tif 000008
2004516609.tif 000009
2004516609.tif 000010
2004516609.tif 000011
2004516609.tif 000012
2004516609.tif 000013
2004516609.tif 000014
2004516609.tif 000015
2004516609.tif 000016
【国際公開パンフレット（コレクトバージョン）】
2004516609.tif 000017
2004516609.tif 000018
【手続補正書】
【提出日】平成14年10月15日(2002.10.15)
【手続補正１】
【補正対象書類名】明細書
【補正対象項目名】特許請求の範囲
【補正方法】変更
【補正の内容】
【特許請求の範囲】
【請求項１】
陰極線管の内面にある発光スクリーン（２２）を有する矩形フェースプレートパネル（１８）に、一端がシールされるファンネル（１６）を含み、上記フェースプレートパネルの大きい方の寸法に平行な主軸と、上記フェースプレートパネルの小さい方の寸法に平行な副軸とを有する排気されたエンベロープ（１２）と、
上記フェースプレートパネルに隣接して上記エンベロープ内に配置されるシャドウマスク組立体（２４）と、
上記ファンネルの少なくとも一部に沿って延在する側壁（４２）を有する内部磁気シールド（３８）と、を含み、
上記内部磁気シールドは、開いた前端面（４４）と、開いた後端面（４６）と、上記側壁を通り延在する少なくとも１つのアパーチャ（５０）とを有し、
上記アパーチャは、上記主軸に沿って中心が合わされ、
上記開いた前端面は、上記シャドウマスクに固定される、陰極線管（１０）であって、
上記陰極線管は、近位端、及び、ゲッタ（５８）を含む遠位端を有する細長いバネ（５６）を有するゲッタ取付け組立体（５４）を含み、
上記遠位端は、上記アパーチャを通り、上記陰極線管の内面に、気化したゲッタ物質のフィルムを蒸着するよう上記主軸に向かって延在する、陰極線管。
【請求項２】
上記開いた後端面（４６）は、開口（５２）を有するレッジ（４８）により画成され、
上記近位端は、上記レッジの上記開口を通り延在し、上記レッジの裏面に接触するショルダ（６６）と、上記レッジに形成されるノッチ（７０）のエッジに接触する握り部（６８）とを含み、上記ゲッタ取付け組立体を上記内部磁気シールドに保持するカップリングクリップ（６２）を含む請求項１記載の陰極線管。
【請求項３】
上記開いた後端面（４６）は、開口（５２）を有するレッジ（４８）により画成され、
上記近位端は、上記レッジの上記開口を通り延在し、上記レッジの上面に接触するショルダ（６６）を含むカップリングクリップ（６２）を含み、
上記細長いバネ（５６）は、上記近位端から上記遠位端に、上記側壁（４２）の裏面に沿って、且つ、上記アパーチャ（５０）を通り、且つ、上記側壁の上記上面を超えて延在する請求項１記載の陰極線管。
【請求項４】
陰極線管の内面にある発光スクリーン（２２）を有する矩形フェースプレートパネル（１８）に、一端がシールされるファンネル（１６）を含み、上記フェースプレートパネルの大きい方の寸法に平行な主軸と、上記フェースプレートパネルの小さい方の寸法に平行な副軸とを有する排気されたエンベロープ（１２）と、
上記フェースプレートパネルに隣接して上記エンベロープ内に配置されるシャドウマスク組立体（２４）と、
上記ファンネルの少なくとも一部に沿って延在する側壁（４２）を有する内部磁気シールド（３８）と、を含み、
上記内部磁気シールドは、上記シャドウマスクに固定される開いた前端面（４４）と、内側に延在するレッジ（４８）により画成される開いた後端面（４６）と、上記側壁を通り延在する少なくとも１つのアパーチャ（５０）を有し、
上記アパーチャは、上記主軸に対し開いている、陰極線管（１０）であって、
上記陰極線管は、近位端及び遠位端を有する細長いバネ（５６）を有する少なくとも１つのゲッタ取付け組立体（５４）を含み、
上記近位端は、上記レッジに形成される開口（５２）に着脱可能に挿入されるよう適応されるカップリングクリップ（６２）と、上記ゲッタ取付け組立体を上記内部磁気シールドに保持するために上記レッジに接触する握り部（６８）とを含み、
上記遠位端は、ゲッタ（５８）を含み、上記アパーチャを通り、上記陰極線管の内面に、気化したゲッタ物質のフィルムを蒸着するよう上記開いた後端面から延在する、陰極線管。
【請求項５】
上記アパーチャは、気化したゲッタ物質の上記フィルムが上記内部磁気シールドの側壁（４２）を通ることを可能にするよう、上記開いた後端面（４６）に面する方の辺の幅が広い、請求項１記載の陰極線管。
【請求項６】
上記アパーチャ（５０）及び上記ゲッタ取付け組立体（５４）は、上記主軸に沿って中心に合わされる、請求項１記載の陰極線管。
【国際調査報告】
2004516609.tif 000019
2004516609.tif 000020
2004516609.tif 000021